(57)【要約】【課題】母屋を跨いだ屋根体の切欠が可能であり、また屋根体の隅部の切欠形状を様々に設定可能なカーポートを提供する。【解決手段】屋根体４の隅部において少なくとも側枠１１と前枠１０または後枠１２とが垂直に切断され、切断された側枠１１の端部側面から前枠１０または後枠１２の側面に渡って、または切断された側枠１１の端部側面から対向する垂木側面に渡って、長尺状の化粧部材１５、１６が設けられ、化粧部材１５、１６はパネル体１７の端部を保持可能なパネル体保持部１５ａ、１６ｃを備え、切断された側枠１１と前枠１０または後枠１２の切断面には端面キャップ２０、２１、２２が設けられてなる。【選択図】図３
2010196261.tif 000002
【特許請求の範囲】
【請求項１】
支柱に梁を支持させてなるフレーム体と、該フレーム体の梁に支持される屋根体とからなるカーポートにおいて、
前記屋根体は、前記支柱側の辺を構成する後枠と、該後枠と対向する前枠と、該前枠及び後枠と交わる辺を構成する左右の側枠と、前記梁と交わる方向に伸びて該梁に載置される母屋と、該母屋と交わる方向に伸びて該母屋に載置される垂木と、該垂木と側枠及び前後枠に囲まれた複数の領域に配設されるパネル体とを有し、
前記屋根体の隅部において少なくとも前記側枠と前枠または後枠とが垂直に切断され、該切断された側枠の端部側面から前記前枠または後枠の側面に渡って、または前記切断された側枠の端部側面から対向する垂木側面に渡って、長尺状の化粧部材が設けられ、該化粧部材は前記パネル体の端部を載置可能なパネル体保持部を備え、
前記切断された側枠と前枠または後枠の切断面には端面キャップが設けられてなることを特徴とするカーポート。
【請求項２】
前記化粧部材の上部には該化粧部材に載置された前記パネル体の端部を挟持する押さえ部が設けられることを特徴とする請求項１記載のカーポート。
【請求項３】
前記端面キャップは前記側枠または前枠または後枠の切断面を塞ぐ塞ぎ部と、該塞ぎ部から前記側枠または前枠または後枠の中央方向に向かって伸びるフィン部を備え、該フィン部は前記押さえ部の上面に当接して固定されることを特徴とする請求項２記載のカーポート。
【請求項４】
前記化粧部材は前記切断された側枠の端部側面から前記前枠または後枠の側面に渡って設けられると共に、前記側枠と同一断面の部材からなることを特徴とする請求項１〜３のいずれか１項に記載のカーポート。
【請求項５】
前記化粧部材は前記切断された側枠の端部側面から対向する垂木側面に渡って設けられると共に、前記母屋に沿って配置されることを特徴とする請求項１〜３のいずれか１項に記載のカーポート。
【発明の詳細な説明】
【技術分野】
【０００１】
本発明は、支柱に梁を取付けたフレーム体に屋根体を設けてなるカーポートに関し、特に屋根体の隅部を切り欠いて様々な平面形状とすることができるカーポートに関する。
【背景技術】
【０００２】
従来、カーポートとしては、支柱を地面に立設し、支柱の上端部に梁を設けてフレーム体を構成し、フレーム体を構成する梁の上面に屋根体を載置固定したものが一般的に知られている。屋根体は、前後枠と側枠を平面視方形状に組んで、その内部には梁と交わる方向に伸びて梁に載置される母屋と、母屋と交わる方向に伸びて母屋に載置される垂木とを複数設けると共に、垂木と側枠、前枠、後枠に囲まれた領域にパネル体をそれぞれ設けて構成される。後枠はフレーム体の支柱側に位置し、前枠は後枠と対向する辺を構成し、側枠は前後枠と交わる左右の辺を構成する。
【０００３】
カーポートを設置する敷地によっては、平面視方形状の屋根体が納まらないことがあり、その場合には屋根体の一部を切り欠くことが行われている。例えば、前枠を梁に対して傾斜状とし、側枠はそれに合わせて一方が他方よりも短く形成される。また、前枠と側枠は傾斜状に突き合わされることとなるが、その端面同士をコーナーキャップで覆い隠す。このように屋根体を切り欠いた構造体としては、例えば特許文献１に挙げるようなものがある。
【先行技術文献】
【特許文献】
【０００４】
【特許文献１】特開２００１−３３６２１７号公報
【発明の概要】
【発明が解決しようとする課題】
【０００５】
従来の構造体においては、屋根体について母屋を跨いだ切欠が困難であった。従来の構造では、前枠が母屋を跨ぐように切り欠くには、母屋を傾斜状に切断する必要があって、これが困難である。また、前枠の側枠に対する傾斜角度が大きくなると、端面同士を覆い隠すコーナーキャップの形状を異なるものとする必要があり、部品の種類を増大させてコストアップの要因ともなる。さらには、従来の構造体では、屋根体の隅部のみを切り欠くことも困難である。
【０００６】
本発明は前記課題を鑑みてなされたものであり、母屋を跨いだ屋根体の切欠が可能であり、また屋根体の隅部の切欠形状を様々に設定可能なカーポートを提供することを目的とする。
【課題を解決するための手段】
【０００７】
前記課題を解決するため、本発明に係るカーポートは、支柱に梁を支持させてなるフレーム体と、該フレーム体の梁に支持される屋根体とからなるカーポートにおいて、
前記屋根体は、前記支柱側の辺を構成する後枠と、該後枠と対向する前枠と、該前枠及び後枠と交わる辺を構成する左右の側枠と、前記梁と交わる方向に伸びて該梁に載置される母屋と、該母屋と交わる方向に伸びて該母屋に載置される垂木と、該垂木と側枠及び前後枠に囲まれた複数の領域に配設されるパネル体とを有し、
前記屋根体の隅部において少なくとも前記側枠と前枠または後枠とが垂直に切断され、該切断された側枠の端部側面から前記前枠または後枠の側面に渡って、または前記切断された側枠の端部側面から対向する垂木側面に渡って、長尺状の化粧部材が設けられ、該化粧部材は前記パネル体の端部を載置可能なパネル体保持部を備え、
前記切断された側枠と前枠または後枠の切断面には端面キャップが設けられてなることを特徴として構成されている。
【０００８】
また、本発明に係るカーポートは、前記化粧部材の上部には該化粧部材に載置された前記パネル体の端部を挟持する押さえ部が設けられることを特徴として構成されている。
【０００９】
さらに、本発明に係るカーポートは、前記端面キャップは前記側枠または前枠または後枠の切断面を塞ぐ塞ぎ部と、該塞ぎ部から前記側枠または前枠または後枠の中央方向に向かって伸びるフィン部を備え、該フィン部は前記押さえ部の上面に当接して固定されることを特徴として構成されている。
【００１０】
さらにまた、本発明に係るカーポートは、前記化粧部材は前記切断された側枠の端部側面から前記前枠または後枠の側面に渡って設けられると共に、前記側枠と同一断面の部材からなることを特徴として構成されている。
【００１１】
そして、本発明に係るカーポートは、前記化粧部材は前記切断された側枠の端部側面から対向する垂木側面に渡って設けられると共に、前記母屋に沿って配置されることを特徴として構成されている。
【発明の効果】
【００１２】
本発明に係るカーポートによれば、屋根体の隅部において少なくとも側枠と前枠または後枠とが垂直に切断され、切断された側枠の端部側面から前枠または後枠の側面に渡って、または切断された側枠の端部側面から対向する垂木側面に渡って、長尺状の化粧部材が設けられ、化粧部材はパネル体の端部を載置可能なパネル体保持部を備え、切断された側枠と前枠または後枠の切断面には端面キャップが設けられてなることにより、化粧材を切り欠く形状に合わせて形成し、前枠、後枠、及び側枠は垂直に切断するだけでよいので、施工性を良好にすることができ、また各枠の端部は切欠形状にかかわらず垂直に切断されるので、各枠の端面を閉塞する端面キャップを複数種類用意する必要がなく、コストダウンを図ることができる。また、常に同じ端面キャップで各枠の端部が閉塞されるため、意匠性も良好にすることができる。
【００１３】
また、本発明に係るカーポートによれば、化粧部材の上部には該化粧部材に載置されたパネル体の端部を挟持する押さえ部が設けられることにより、化粧部材でパネル体の端部を確実に保持し、パネル体の支持強度を大きくすることができる。
【００１４】
さらに、本発明に係るカーポートによれば、端面キャップは側枠または前枠または後枠の切断面を塞ぐ塞ぎ部と、塞ぎ部から側枠または前枠または後枠の中央方向に向かって伸びるフィン部を備え、フィン部は押さえ部の上面に当接して固定されることにより、枠の端面を塞ぎつつ、押さえ部を上面から押圧することができ、パネル体の保持強度を大きくすることができる。
【００１５】
さらにまた、本発明に係るカーポートによれば、化粧部材は切断された側枠の端部側面から前枠または後枠の側面に渡って設けられると共に、側枠と同一断面の部材からなることにより、化粧部材を側枠と同じ部材から切り出すことができ、部品の共用化によるコストダウンを図ることができる。
【００１６】
そして、本発明に係るカーポートによれば、化粧部材は切断された側枠の端部側面から対向する垂木側面に渡って設けられると共に、母屋に沿って配置されることにより、母屋の上面に化粧材を配置して強度を大きくすることができる。
【図面の簡単な説明】
【００１７】
【図１】本実施形態におけるカーポートの正面図である。
【図２】カーポートの側面図である。
【図３】カーポートの平面図である。
【図４】化粧材と側枠が突き合わされる部分付近の拡大斜視図である。
【図５】化粧材と側枠が突き合わされる部分付近の拡大斜視図であって上部材と側枠端面キャップが取付けられた状態の図である。
【図６】化粧材と前枠が突き合わされる部分付近の拡大斜視図である。
【図７】図６の状態から化粧材に上部材を取付けると共に前枠に前枠端面キャップを取付けた斜視図である。
【図８】母屋の斜視図である。
【発明を実施するための形態】
【００１８】
本発明の実施形態について、図面に沿って詳細に説明する。図１には本実施形態におけるカーポートの正面図を、図２にはカーポートの側面図を、それぞれ示している。これら各図に示すように、本実施形態におけるカーポートは、地面に立設される支柱２が上端において梁３を片持ち状に支持してなるフレーム体１に、屋根体４が支持されて構成されている。
【００１９】
支柱２と梁３からなるフレーム体１は、前後１組ずつ設けられ、それぞれが屋根体４を支持している。また、梁３は支柱２に支持された位置から先端側に向かって上方傾斜状となるように取付けられている。
【００２０】
図３には、カーポートの平面図を示している。カーポートを構成する屋根体４は、支柱２が配置される側の辺を構成する後枠１１と、後枠１１と対向する辺を構成する前枠１０と、前枠１０及び後枠１１と交わる方向の辺を構成する左右の側枠１２により外周が枠状に形成され、前枠１０と後枠１１及び側枠１２に囲まれた領域には、梁３と平行な方向に沿って母屋１３が複数本配置され、母屋１３と直交する方向に沿って垂木１４が複数本配置される。
【００２１】
母屋１３は梁３の上面に載置されて支持され、垂木１４は母屋１３の上面に載置されて支持される。また、垂木１４間の領域及び垂木１４と側枠１２間の領域には、それぞれパネル体１７が設けられる。
【００２２】
前枠１０は、梁３に対して傾斜状となるように配置されており、前後のフレーム体１を構成する各梁３は、それに合わせて一方が他方より短くなるように切断されている。また、本実施形態では屋根体４の四隅のうち三隅において各枠が切断され切り欠かれている。
【００２３】
屋根体４のうち図３における左下の隅部は、前枠１０と側枠１２がそれぞれ切断され、さらに前枠１０に最も近い母屋１３も切断されている。これにより、屋根体４の図３における左下の隅部は長方形状に切り欠かれており、パネル体１７も切り欠かれた領域には配置されない。
【００２４】
前枠１０と側枠１２及び母屋１３は、いずれも垂直に切断されている。切断された前枠１０の端面は、前枠端面キャップ２０により閉塞される。同様に側枠１２の端面は側枠端面キャップ２２により、母屋１３の端面は母屋端面キャップ２４により、それぞれ閉塞される。
【００２５】
切断された側枠１２の端部側面から対向する垂木１４の側面に渡っては、長尺状の化粧材１５が設けられる。側枠１２から垂木１４に渡って設けられる化粧材１５は、母屋１３に沿って設けられ、母屋１３の上面に固定される。また、化粧材１５はパネル体１７の端部を保持する形態を有している。
【００２６】
図４には、化粧材１５と側枠１２が突き合わされる部分付近の拡大斜視図を示している。側枠１２は上部材１２ａと下部材１２ｂの二部材により構成されており、図４にはこのうち下部材１２ｂのみを表している。側枠１２の下部材１２ｂは、パネル体１７の端部を載置するパネル支持部１２ｃを有しており、またパネル体１７の下面との間の水密性を確保する水密材１２ｄを長手方向に沿って有している。
【００２７】
化粧材１５は、下面が母屋１３に当接してネジ止め固定され、またパネル体１７の端部を保持するパネル体保持部１５ａを有している。パネル体１７の端部はパネル体保持部１５ａに納められる。また、母屋１３は端部に母屋端面キャップ２４が設けられて、端面が閉塞されている。
【００２８】
図５には、化粧材１５と側枠１２が突き合わされる部分付近の拡大斜視図であって上部材１２ａと側枠端面キャップ２２が取付けられた状態の図を示している。この図に示すように、側枠１２の下部材１２ｂは上部材１２ａによって覆われ、下部材１２ｂと上部材１２ａによってパネル体１７の端部を長手方向に沿って挟持している。
【００２９】
また、側枠１２の端部には側枠端面キャップ２２が設けられて、側枠１２の端面を閉塞している。側枠端面キャップ２２は、側枠１２の端面を塞ぐ塞ぎ部２２ａと、塞ぎ部２２ａから側枠１２の中央方向に伸びるフィン部２２ｂとを有している。フィン部２２ｂは、側枠１２を構成する上部材１２ａの上面に当接し、ネジ止めされて固定される。
【００３０】
このように、側枠端面キャップ２２で側枠１２の端面を閉塞すると共に、側枠１２の上面に当接固定されることにより、側枠１２の端面を塞ぎつつ、側枠１２の上部材１２ａを上面から押圧することができ、上部材１２ａと下部材１２ｂによるパネル体１７の保持強度を大きくすることができる。また図示しないが、化粧材１５の反対側の端面は、垂木１４の端面に対して突き合わされており、その継ぎ目部分にはコーキング材を設けるなどして水密をなすようにしている。
【００３１】
屋根体４のうち図３における右下の隅部は、前枠１０が側枠１２に最も近い垂木１４の位置近傍まで切断され、側枠１２が前枠１０に最も近い母屋１３の位置まで切断されている。そして、これらの切断端部間を渡すように長尺状の化粧材１６が設けられ、パネル体１７はこれに合わせて右下の隅部が斜めに切り欠かれている。
【００３２】
ここでは、化粧材１６は切断された側枠１２の端部側面から前枠１０の側面に渡って設けられている。前枠１０と側枠１２は垂直に切断されており、前枠１０の端面は前枠端面キャップ２０により閉塞され、側枠１２の端面は側枠端面キャップ２２により閉塞される。
【００３３】
化粧材１６は、前枠１０及び側枠１２に対してそれぞれ傾斜状に設けられ、かつ前枠１０の側面及び側枠１２の側面に突き当てられるため、両端部がそれぞれ傾斜状に切断されている。また、化粧材１６はパネル体１７の端部を保持する形態を有している。
【００３４】
図６には、化粧材１６と前枠１０が突き合わされる部分付近の拡大斜視図を示している。前枠１０は、パネル体１７の端部を載置保持するパネル体保持部１０ａと、長手方向に沿ってパネル体１７からの水を受ける溝部１０ｂとを有している。また、化粧材１６は側枠１２と同じ断面形状を有してなり、上部材１６ａと下部材１６ｂからなるが、図６には下部材１６ｂのみが表されている。化粧材１６の下部材１６ｂは、パネル体１７の端部を載置するパネル支持部１６ｃを有しており、またパネル体１７の下面との間の水密性を確保する水密材１６ｄを長手方向に沿って有している。そして、化粧材１６は前枠１０に対しては下面が当接してネジ止め固定される。
【００３５】
図７には、図６の状態から化粧材１６に上部材１６ａを取付けると共に前枠１０に前枠端面キャップ２０を取付けた斜視図を示している。化粧材１６は、上部材１６ａが取付けられることで、下部材１６ｂとの間でパネル体１７を挟持する。また、前枠端面キャップ２０は、前枠１０の端面を塞ぐ塞ぎ部２０ａと、塞ぎ部２０ａから前枠１０の中央方向に向かって伸びる上面塞ぎ部２０ｂとを有している。上面塞ぎ部２０ｂは、前枠１０と化粧材１６の連結部分を上方から覆う。また、前枠端面キャップ２０は、後枠１１と対向する側の面、すなわち図７の図中奥側の面において前枠１０に対してビス止め固定される。
【００３６】
屋根体４のうち図３における右上の隅部は、後枠１１が側枠１２に最も近い垂木１４の位置近傍まで切断され、側枠１２が後枠１１から２番目に近い母屋１３の位置まで切断されている。そして、これらの切断端部間を渡すように長尺状の化粧材１６が設けられ、パネル体１７はこれに合わせて右上の隅部が斜めに切り欠かれている。また、後枠１１に最も近い母屋１３は、化粧材１６が渡される位置まで切断されている。
【００３７】
ここでは、化粧材１６は切断された側枠１２の端部側面から後枠１１の側面に渡って設けられている。後枠１１と側枠１２は垂直に切断されており、後枠１１の端面は後枠端面キャップ２１により閉塞され、側枠１２の端面は側枠端面キャップ２２により閉塞される。なお、後枠端面キャップ２１は前枠端面キャップ２０と同様に、後枠１１の前枠１０と対向する側面に対しビス止め固定される。
【００３８】
化粧材１６は、図３における右下の隅部に設けられるものと同じ断面形状、すなわち側枠１２と同じ断面形状を有してなり、後枠１１及び側枠１２に対してそれぞれ傾斜状に設けられ、かつ後枠１１の側面及び側枠１２の側面に突き当てられるため、両端部がそれぞれ傾斜状に切断されている。また、化粧材１６はパネル体１７の端部を保持する形態を有している。
【００３９】
このように、図３における右上の隅部においては、右下の隅部とほぼ同様の構造で屋根体４が切り欠かれている。一方で、右下の隅部では、切欠が母屋１３を跨がない範囲で形成されているのに対し、右上の隅部では、切欠が母屋１３を跨いで形成されている。この場合であっても、母屋１３を垂直に切断し、その端面には母屋端面キャップ２４を設けることにより、切欠を構成することができる。
【００４０】
以上のように、屋根体４の隅部において側枠１２と前枠１０、または側枠１２と後枠１１を切断し、側枠１２と前枠１０間、または側枠１２と後枠１１間、あるいは側枠１２と対向する母屋１３間に長尺状の化粧材１５または化粧材１６を設けることにより、化粧材１５、１６を切り欠く形状に合わせて形成し、前枠１０、後枠１１、及び側枠１２は垂直に切断するだけでよいので、施工性を良好にすることができ、また各枠の端部は切欠形状にかかわらず垂直に切断されるので、各枠の端面を閉塞する端面キャップを複数種類用意する必要がなく、コストダウンを図ることができる。また、常に同じ端面キャップで各枠の端部が閉塞されるため、意匠性も良好にすることができる。
【００４１】
図８には、母屋１３の斜視図を示している。この図に示すように、母屋１３は断面中空状に形成され、下面１３ａは梁３に載置される平面状に形成されると共に、上面１３ｂも平面状に形成される。上面１３ｂには、断面Ｔ字状の上面部材１３ｃが長手方向に沿って設けられる。
【００４２】
上面部材１３ｃは、母屋１３に固定された状態でその側面に当接すると共に、上方に突出する突起部１３ｄを有している。上面部材１３ｃは、突起部１３ｄの上端でパネル体１７を支持する。また、母屋１３において垂木１４を設ける部分には上面部材１３ｃは設けられない。すなわち、上面部材１３ｃは母屋１３の上面１３ｂにおける各垂木１４間の領域にそれぞれ設けられて、垂木１４を両側から挟むように配置される。
【００４３】
従来のカーポートでは、母屋１３の上面１３ｂに突起部が一体的に形成されており、垂木１４を配置する部分について突起部を切り欠く加工を行っていたが、これに対して本実施形態のように母屋１３と別部材の上面部材１３ｃで垂木１４を両側から挟むようにすることで、垂木１４の母屋１３に対する取付角度を調整することができる。これにより、母屋１３と垂木１４が必ずしも直交しなくてもよく、屋根体４の形状を様々に設定することが可能となる。
【００４４】
以上、本発明の実施形態について説明したが、本発明の適用は本実施形態には限られず、その技術的思想の範囲内において様々に適用されうるものである。本実施形態では、図３に示す左下と右上及び右下の三隅について、屋根体４を切り欠いているが、屋根体４の切欠は四隅のうちいずれか１箇所以上に形成することができ、その形態も化粧材を側枠１２から前枠１０または後枠１１に斜め方向に渡すものと、化粧材を側枠１２から対向する母屋１３に渡すものについて、必要な切欠形状に応じて選択することができる。
【００４５】
また、本実施形態において屋根体４の隅部は、垂木１４を跨がない範囲でのみ切り欠かれているが、垂木１４を跨いで切欠を形成してもよく、その場合には垂木１４を切欠に合わせて切断することとなる。この場合にも、垂木１４は垂直に切断すればよいので、垂木１４の端面に設けられる垂木端面キャップ２３をそのまま用いることができる。
【００４６】
このように、本発明によれば化粧材を設けることで、屋根体４の隅部を傾斜状あるいは角状に任意の大きさで切り欠くことができ、様々な敷地形状に対応したカーポートとすることができる。
【符号の説明】
【００４７】
１    フレーム体
２    支柱
３    梁
４    屋根体
１０    前枠
１０ａ  パネル体保持部
１０ｂ  溝部
１１    後枠
１２    側枠
１２ａ  上部材
１２ｂ  下部材
１２ｃ  パネル支持部
１２ｄ  水密材
１３    母屋
１３ａ  下面
１３ｂ  上面
１３ｃ  上面部材
１３ｄ  突起部
１４    垂木
１５    化粧材
１５ａ  パネル体保持部
１６    化粧材
１６ａ  上部材
１６ｂ  下部材
１６ｃ  パネル支持部
１６ｄ  水密材
１７    パネル体
２０    前枠端面キャップ
２０ａ  塞ぎ部
２０ｂ  上面塞ぎ部
２１    後枠端面キャップ
２２    側枠端面キャップ
２２ａ  塞ぎ部
２２ｂ  フィン部
２３    垂木端面キャップ
２４    母屋端面キャップ
【図１】
2010196261.tif 000003
【図２】
2010196261.tif 000004
【図３】
2010196261.tif 000005
【図４】
2010196261.tif 000006
【図５】
2010196261.tif 000007
【図６】
2010196261.tif 000008
【図７】
2010196261.tif 000009
【図８】
2010196261.tif 000010